(57)【要約】【課題】  パネルとシャーシとの密着性を確保し、強度を維持しつつ放熱性を高めることができるディスプレイ装置を提供する。【解決手段】  ディスプレイ装置１０は、ディスプレイパネル１１と、この背面１１Ａに取り付けられたシャーシ１２とを備え、シャーシ１２のパネル取り付け面が、絞り加工又は成型による凹凸面１４を有し、この凹凸面１４とディスプレイパネル１１との間に熱伝導性のジェル状物質１５が充填されている。シャーシ１２の凹凸面１４は、頂面２１Ａが平坦な複数の突出部２１とこの突出部２１の周囲を囲む枠状の隔壁部２３を有し、ジェル状物質１５は隔壁部２３で囲まれた部分に充填されている。【選択図】  図５
2005292310.tif 000002
【特許請求の範囲】
【請求項１】
ディスプレイパネルと、当該ディスプレイパネルの背面に取り付けられたシャーシとを備えたディスプレイ装置であって、
前記シャーシのパネル取り付け面は、絞り加工又は成型による凹凸面を有し、当該凹凸面と前記ディスプレイパネルとの間に熱伝導性のジェル状物質が充填されていることを特徴とするディスプレイ装置。
【請求項２】
前記シャーシの凹凸面は、
頂面が平坦な複数の突出部と、該突出部の周囲を囲む枠状の隔壁部と、を有し、
前記ジェル状物質は、前記隔壁部で囲まれた部分に充填されていることを特徴とする請求項１記載のディスプレイ装置。
【請求項３】
前記ディスプレイパネルと前記シャーシの凹凸面との間の対向間隙の外周部に両面粘着テープを介在させたことを特徴とする請求項１記載のディスプレイ装置。
【請求項４】
前記ディスプレイパネルと前記シャーシの凹凸面との間の対向間隙内において、前記隔壁部の外側に両面粘着テープを介在させたことを特徴とする請求項２記載のディスプレイ装置。
【請求項５】
前記熱伝導性のジェル状物質は、粘着性を有することを特徴とする請求項１又は２に記載のディスプレイ装置。
【請求項６】
前記ジェル状物質が、前記シャーシ部材の凹凸面の隙間に充填され、前記ディスプレイパネルと前記シャーシ部材とが空気層を介在することなく、密着してなることを特徴とする請求項１〜５のいずれかに記載のディスプレイ装置。
【発明の詳細な説明】
【技術分野】
【０００１】
本発明は、平面型表示装置としてのディスプレイ装置に関する。
【背景技術】
【０００２】
近年、平面型表示装置として、例えば、プラズマディスプレイパネル、液晶ディスプレイパネルや有機エレクトロルミネセンスパネル等のように、平板状の薄型ディスプレイパネルを採用したものが各種開発されている。
図１は、上記ディスプレイパネルを組み込んだディスプレイ装置の全体構成の一例を示している。
【０００３】
同図に示すように、ディスプレイパネル１を収容する筐体は、開口部にガラス等から成る前面カバーが配置された前面枠６と、リアカバー７とから構成されている。
ディスプレイパネル１は、アルミニウム合金等から成るシャーシ３の前面に両面粘着テープ５を介して接着することにより保持され、シャーシ３の後面側には、ディスプレイパネル１を表示駆動させるための駆動回路を搭載したスキャン回路基板や、前記駆動回路に給電するための電源回路を搭載したドライブ回路基板などの複数の回路ブロック（回路基板）２が取り付けられている。
【０００４】
図２は、このような平面型ディスプレイ装置の従来例におけるディスプレイパネル１とシャーシ３との接続構造を示したものである。
同図に示すように、ディスプレイパネル１は前面ガラス基板１Ａと背面ガラス基板１Ｂとを放電空間１Ｃを介して貼り合わせて構成され、このディスプレイパネル１に対しては、これを駆動するための回路基板２がシャーシ３を介して搭載されている。
【０００５】
前記シャーシ３は、熱伝導性が良好なアルミニウム合金等の金属からなる板状部材であり、ディスプレイパネル１と回路基板２とはフレキシブルケーブル４を介して電気的に接続され、更に、シャーシ３とディスプレイパネル１とは、ディスプレイパネル１の背面ガラス基板１Ｂの外表面（ディスプレイパネル１の背面）に貼り付けられた両面粘着テープ５により固着されている。
このように、平面型のディスプレイ装置において、シャーシ３とディスプレイパネル１とを固定する手段として両面粘着テープ５を用いる技術が知られている（例えば、特許文献１参照）。
【特許文献１】実開平5-11183号公報
【発明の開示】
【発明が解決しようとする課題】
【０００６】
前述のように、シャーシ３とディスプレイパネル１との貼り合わせは、間に両面粘着テープ５を挟むことにより、固着されており、その貼り合わせた状態は、図３の模式図のようになる。
ところが、ディスプレイパネル１やシャーシ３は、製造過程において、図４の模式図に示すような歪みやソリが発生する可能性がある。すなわち、ディスプレイパネル１やシャーシ３に歪みやソリが発生した状態（図４に示す状態）で、ディスプレイパネル１およびシャーシ３を両面粘着テープ５で貼り合わせると、ディスプレイパネル１とシャーシ３との間に隙間８が発生する。
【０００７】
この隙間８は、シャーシ３からディスプレイパネル１が脱落する要因や、ディスプレイパネル１から放出する熱を均一に放熱させることを妨げる要因になる。このため、両面粘着テープ５に十分な厚みを持たせて、ディスプレイパネル１やシャーシ３の歪みやソリ等で発生する隙間８を補うようにしている。
【０００８】
この両面粘着テープ５の厚みが増すと、両面粘着テープ５は熱伝導性が悪化する。このため、厚みを増した両面粘着テープ５を使用すると、ディスプレイパネル１の放熱性を十分に確保することは難しい。
そこで、ディスプレイパネル１の放熱性を確保するために、両面粘着テープ５に熱伝導性の高い物質（シリコン等）を含ませている。
【０００９】
しかし、両面粘着テープ５に熱伝導性の高い物質を含ませると、両面粘着テープ５のコストが増し、加えて両面粘着テープ５の重量が増して製品の重量軽減化を阻んでいた。
加えて、両面粘着テープ５を貼り付ける際に、ディスプレイパネル１とシャーシ３との間の隙間に空気が入り込んで密着性が低化し、そのことがディスプレイパネル１の放熱性を確保する妨げになっていた。
【００１０】
また、ディスプレイ装置の修理などで、ディスプレイパネル１をシャーシ３から剥がす場合があるが、両面粘着テープ５は比較的剥がし難いことが知られている。加えて、両面粘着テープ５はディスプレイパネル１とシャーシ３との間の略全域に貼り付けられており、接着面積が大きい。
このため、修理等の際に、シャーシ３からディスプレイパネル１を剥がすのに比較的時間がかかり、そのことが修理におけるサービス性の向上を図る妨げになっていた。
【００１１】
本発明が解決しようとする課題としては、上述した従来技術において生じる、パネルとシャーシとの密着性を確保することが難しいという問題、シャーシからパネルが落下しないように強度を維持することが難しいという問題、パネルからの放熱性を確保することが難しいという問題、コストを抑え、かつ軽減化を図ることが難しいという問題、修理におけるサービス性の向上を図ることが難しいという問題がそれぞれ一例として挙げられる。
【課題を解決するための手段】
【００１２】
請求項１に記載のディスプレイ装置は、ディスプレイパネルと、当該ディスプレイパネルの背面に取り付けられたシャーシとを備えたディスプレイ装置であって、前記シャーシのパネル取り付け面は、絞り加工又は成型による凹凸面を有し、当該凹凸面と前記ディスプレイパネルとの間に熱伝導性のジェル状物質が充填されていることを特徴とする。
【発明を実施するための最良の形態】
【００１３】
以下、本発明に係るディスプレイ装置の実施の形態について、図面を参照して詳細に説明する。
図５は、本発明に係る実施の形態のディスプレイ装置の全体構成を示す斜視図であり、図６は、パネルとシャーシとの接続構造を示した分解斜視図である。
【００１４】
図５に示すように、ディスプレイ装置１０におけるディスプレイパネル１１を収容する筐体は、開口部にガラス等から成る前面カバーが配置された前面枠６と、リアカバー７とから構成されている。
【００１５】
ディスプレイパネル１１は、アルミニウム合金等から成るシャーシ１２のパネル取り付け面１３の外周部に両面粘着テープ１９を介して接着することにより保持され、シャーシ１２の後面側には、ディスプレイパネル１１を表示駆動させるための駆動回路を搭載したスキャン回路基板や、前記駆動回路に給電するための電源回路を搭載したドライブ回路基板などの複数の回路ブロック（回路基板）３が取り付けられる。
シャーシ３は、熱伝導性が良好なアルミニウム合金等の金属からなる板状部材であり、ディスプレイパネル１１と回路基板２とはフレキシブルケーブル等（図示せず）を介して電気的に接続されている。
【００１６】
シャーシ１２のパネル取り付け面１３には、図６に示すように、絞り加工又は成型による凹凸面１４を有し、この凹凸面１４とディスプレイパネル１１との間に熱伝導性のジェル状（粘度状）物質１５を充填するとともに、ディスプレイパネル１１とシャーシ１２の対向間隙内で、それぞれの外周部１７，１８に両面粘着テープ１９を介在させている。
【００１７】
シャーシ１２の凹凸面１４は、頂面２１Ａが平坦な複数の突出部２１と、この突出部２１の周囲を囲む枠状の隔壁部２３と、突出部２１および隔壁部２３とで形成した凹部２４とを有する。
突出部２１は、一例として円柱状、角柱状などの柱状で、それぞれの頂面２１Ａが平坦で、かつ面一に形成されている。
【００１８】
また、隔壁部２３は、シャーシ１２の外周部１８近傍に、外周部１８に沿って略矩形状に形成され、頂面２３Ａが突出部２１の頂面２１Ａと面一に形成されている。
これにより、突出部２１のそれぞれの頂面２１Ａおよび隔壁部２３の頂面２３Ａにディスプレイパネル１１が隙間なく良好に接触される。
【００１９】
シャーシ１２に凹凸面１４を形成することで、凹凸面１４の凹部２４をジェル状物質１５の流路とし、ジェル状物質１５の流動性を高め、ジェル状物質１５を凹凸面１４の凹部２４全域に効率よく行き渡らせることができる。
【００２０】
また、凹凸面１４の凹部２４のみに、ジェル状物質１５を充填するだけでよいので、ジェル状物質１５の使用量を抑えることが可能になる。これにより、ディスプレイ装置１０のコストを抑え、かつ軽量化を図ることができる。
【００２１】
さらに、複数の突出部２１を隔壁部２３、すなわち矩形状の枠体で囲うことにより、隔壁部２３で囲まれた部分で、凹凸面１４の凹部２４に、熱伝導性のジェル状物質１５が充填される。よって、ジェル状物質１５を充填する領域を隔壁部２３で確保し、ジェル状物質１５の充填性をさらに高めることができる。
【００２２】
熱伝導性のジェル状物質１５は、熱伝導性を備えた粘度状の物質である。熱伝導性のジェル状物質１５としては、ジメチルポリシロキサン構造の合成油で、一例として、東レ・ダウコージング・シリコン（株）製の『ＳＨ２０００オイル』（シリコンオイル）が該当する。このジェル状物質１５は、熱伝導性に優れているとともに、粘着性にも優れた物質である。
【００２３】
熱伝導性のジェル状物質１５を、シャーシ１２の凹凸面１４とディスプレイパネル１１との間に充填することで、凹凸面１４が埋められてなくなる。これにより、ディスプレイパネル１１とシャーシ１２との間に空気層が介在することなくディスプレイパネル１１とシャーシ１２が密着される。
【００２４】
ディスプレイパネル１１とシャーシ１２の対向間隙内にける隔壁部２３の外側で、それぞれの外周部１７，１８に沿って両面粘着テープ１９が介在されている。
【００２５】
両面粘着テープ１９は、1対の両面粘着テープ片１９Ａと、1対の両面粘着テープ片１９Ｂとで略矩形状の枠体に形成した両面接着テープである。
1対の両面粘着テープ片１９Ａは、矩形状に形成したシャーシ１２の外周部１８における長さ方向の1対の辺１８Ａに沿って設けたテープ片である。
1対の両面粘着テープ片１９Ｂは、矩形状に形成したシャーシ１２の外周部１８における幅方向の1対の辺１８Ｂに沿って設けたテープ片である。
【００２６】
この両面粘着テープ１９の一方の接着面を、ディスプレイパネル１１の外周部１７に接着するとともに、両面粘着テープ１９の他方の接着面を、シャーシ１２の外周部１８に接着する。
よって、ディスプレイパネル１１の外周部１７とシャーシ１２の外周部１８とを両面粘着テープ１９で接着する。
これにより、シャーシ１２にディスプレイパネル１１をより一層強固に接着させることが可能になり、ディスプレイパネル１１が振動などでシャーシ１２から落下することを防ぐように、接着強度を維持できる。
【００２７】
また、ディスプレイパネル１１とシャーシ１２の各々の外周部１７，１８に沿って両面粘着テープ１９を介在させるだけなので、両面粘着テープ１９の使用量を減らすことが可能になる。
加えて、両面粘着テープ１９は、通常の両面粘着テープであり、入手が容易である。
このように、入手が容易な通常の両面粘着テープ１９を使用し、かつ両面粘着テープ１９の使用量を減らすことで、ディスプレイ装置１０のコストを抑えることができる。
【００２８】
次に、本発明の実施の形態に係るディスプレイ装置１０の変形例について説明する。
図７は、変形例におけるパネルとシャーシとの接続構造を示した分解斜視図である。
前述の実施の形態では、ディスプレイパネル１１の外周部１７とシャーシ１２の外周部１８を両面粘着テープ１９で接着する例について説明したが、ジェル状物質１５に粘着性を持たせることにより、図７に示すように、両面粘着テープ１９を削除することも可能である。
【００２９】
これにより、前述の実施の形態と同様の効果を得ることができる。
さらに、両面粘着テープ１９を使用しないので、シャーシ１２にディスプレイパネル１１を接着させる作業をより一層簡単にできるので、生産性をさらに高めることができる。
加えて、両面粘着テープ１９を不用にできるので、コストを抑えることができる。
【００３０】
以上、詳述したように、本実施の形態に係るディスプレイ装置１０は、ディスプレイパネル１１と、当該ディスプレイパネルの背面に取り付けられたシャーシ１２とを備え、シャーシ１２のパネル取り付け面１３は、絞り加工又は成型による凹凸面１４を有し、当該凹凸面１４とディスプレイパネル１１との間に熱伝導性のジェル状物質が充填されている
【００３１】
これにより、ディスプレイパネル１１とシャーシ１２との間に隙間（すなわち、空気層）が発生しないように、各々の部材１１，１２を接着することが可能になり、ディスプレイパネル１１とシャーシ１２との密着性を確保できる。
ディスプレイパネル１１とシャーシ１２との密着性を確保することで、ディスプレイパネル１１からシャーシ１２への放熱性を十分に確保できる。
【００３２】
また、ディスプレイパネル１１とシャーシ１２との間に、熱伝導性のジェル状物質１５を充填することで、従来技術のように、両面粘着テープに熱伝導性の高い物質（シリコン等）を含ませ、この両面粘着テープをディスプレイパネル１１とシャーシ１２との間の略全域に介在させる必要がない。
【００３３】
両面粘着テープに熱伝導性の高い物質（シリコン等）を含ませると、両面粘着テープのコストが増し、かつ、両面粘着テープの重量が増すが、本実施の形態によれば、上記物質を含ませる必要がないので、コストを抑え、軽量化を図ることができる。
【００３４】
また、修理などで、ディスプレイパネル１１をシャーシ１２から剥がす際に、シャーシ１２からディスプレイパネル１１を、時間をかけないで容易に剥がすことが可能になり、サービス性の向上を図ることができる。
【図面の簡単な説明】
【００３５】
【図１】従来のディスプレイ装置を示す分解斜視図である。
【図２】従来のディスプレイ装置を示す断面図である。
【図３】従来のディスプレイ装置のパネルとシャーシを接着した状態を示す模式図（斜視図）である。
【図４】従来のディスプレイ装置のパネルとシャーシとの間に隙間が発生した状態を示す模式図（斜視図）である。
【図５】本発明の実施の形態に係るディスプレイ装置を示す分解斜視図である。
【図６】本発明の実施の形態に係るディスプレイ装置におけるパネルとシャーシとの接続構造を示した分解斜視図である。
【図７】本発明の実施の形態に係るディスプレイ装置の変形例におけるパネルとシャーシとの接続構造を示した分解斜視図である。
【符号の説明】
【００３６】
１０  ディスプレイ装置
１１  パネル
１１Ａ  パネルの背面
１２  シャーシ
１４  凹凸面
１５  熱伝導性のジェル状物質
１７  パネルの外周部
１８  シャーシの外周部
１９  両面粘着テープ
２１  突出部
２１Ａ  突出部の頂面
２３  隔壁部
【図１】
2005292310.tif 000003
【図２】
2005292310.tif 000004
【図３】
2005292310.tif 000005
【図４】
2005292310.tif 000006
【図５】
2005292310.tif 000007
【図６】
2005292310.tif 000008
【図７】
2005292310.tif 000009